(57)【特許請求の範囲】
【請求項１】
一方側が建物本体の開口部が形成された外壁から所定の間隔を空けるとともに該外壁に対向して配設され、他方側が少なくとも屋根部及び該屋根部を支持する支柱を備えてなる建物外部構築物の外部構築物本体の前記屋根部の先端部が接続される介装構造体であって、
下端部を基礎に埋設させて立設された状態の一対の縦材及び前記一対の縦材の上端で連結する横材からなるコ字状の枠体と、
前記枠体の一方側と該枠体の一方側に対向して配されている前記建物本体の外壁との間の隙間を閉塞するための閉塞部材と、を備えていることを特徴とする介装構造体。
【請求項２】
請求項１記載の介装構造体において、
前記閉塞部材が前記隙間を閉塞しつつ前記建物本体の外壁と前記枠体の相対変位を吸収するように構成されている介装構造体。
【請求項３】
請求項１または請求項２に記載の介装構造体において、
前記閉塞部材が前記建物本体の外壁及び／又は前記枠体に固定して片持ち状態で設けられている介装構造体。
【請求項４】
請求項１から請求項３のいずれか一項に記載の介装構造体において、
前記閉塞部材が、前記枠体に固定して配設される枠体側塞ぎ材と、前記建物本体の外壁に固定して配設される外壁側塞ぎ材とを備え、前記枠体側塞ぎ材と前記外壁側塞ぎ材を互いに相対変位可能に接続して構成されている介装構造体。
【請求項５】
少なくとも屋根部及び該屋根部を支持する支柱を備えてなる外部構築物本体と建物本体の外壁との間に介設される請求項１から請求項４のいずれか一項に記載の介装構造体とを備えていることを特徴とする建物外部構築物。
【請求項６】
下端部を支持させて立設される一対の縦材及び前記一対の縦材を連結する横材からなる枠体を建物本体の外壁との間に所定の隙間をあけて設置する枠体設置工程と、
前記枠体設置工程後に、少なくとも屋根部及び該屋根部を支持する支柱を備えてなる外部構築物本体を、前記屋根部の先端部を前記枠体に接続するようにして構築する外部構築物本体設置工程と、
前記枠体と前記建物本体の外壁の間の隙間を閉塞するための閉塞部材を設置する閉塞部材設置工程とを備えることを特徴とする建物外部構築物の施工方法。
【発明の詳細な説明】
【技術分野】
【０００１】
本発明は、サンルームなどの建物外部構築物を構築する際に用いる介装構造体及びこれを備えた建物外部構築物、並びに建物外部構築物の施工方法に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している（例えば、特許文献１参照）。
【０００３】
そして、ガーデンルームタイプの建物外部構築物Ａは、例えば図５に示すように、住宅などの建物本体Ｔの外壁Ｔ１に沿って、且つ外壁Ｔ１と所定の間隔をあけて設けられる前面壁部１と、一端２ａを前面壁部１の上端側に、他端２ｂを建物本体Ｔの外壁Ｔ１側にそれぞれ接続して設けられる屋根部２と、前面壁部１と屋根部２と建物本体Ｔの外壁Ｔ１側にそれぞれ接続して設けられる一対の側面壁部３とを備えて構成されている。また、サイドスルータイプの建物外部構築物は、ガーデンルームタイプの建物外部構築物Ａに対し、一対の側面壁部３を具備せず、前面壁部１と屋根部２を備えて構成されている。
【０００４】
また、この種の建物外部構築物Ａには、建物本体Ｔの外壁Ｔ１（や窓など）と所定の間隔をあけて配設される腰壁（前面腰壁）４と、腰壁４に下端部５ａを接続して立設されるとともに、建物本体Ｔの外壁Ｔ１に沿う横方向Ｓ１に所定の間隔をあけて並設される複数の支柱５と、隣り合う支柱５の間に設置される例えばポリカーボネートやアクリル等の樹脂板やガラス板の前面パネル６とを備えて前面壁部１を構成したものがある。
【０００５】
さらに、腰壁４を設けず、土間コンクリートやデッキ、独立基礎等の基礎７上に複数の支柱５を立設し、隣り合う支柱５の間にガラス板等の前面パネル６、窓等を固設して構成したものもある。
【先行技術文献】
【特許文献】
【０００６】
【特許文献１】特開２００２−２２７４３８号公報
【発明の概要】
【発明が解決しようとする課題】
【０００７】
しかしながら、例えば、住宅などの建物本体Ｔの外壁Ｔ１の凹凸や、屋根部に雪荷重や風荷重が作用するなどして建物本体Ｔとの間に相対変位が生じることなどに起因し、場合によっては建物本体Ｔの外壁Ｔ１と建物外部構築物との間に隙間が発生してしまうことも考えられ、これに対応する手法が求められている。
【０００８】
本発明は、上記事情に鑑み、建物本体の外壁の凹凸に柔軟に対応でき、建物本体の外壁との間に隙間が発生することや、見栄えが悪化することを防止できる介装構造体及び建物外部構築物、並びに建物外部構築物の施工方法を提供することを目的とする。
【課題を解決するための手段】
【０００９】
上記の目的を達するために、この発明は以下の手段を提供している。
【００１０】
本発明の介装構造体は、一方側が建物本体の開口部が形成された外壁から所定の間隔を空けるとともに該外壁に対向して配設され、他方側が少なくとも屋根部及び該屋根部を支持する支柱を備えてなる建物外部構築物の外部構築物本体の前記屋根部の先端部が接続される介装構造体であって、下端部を基礎に埋設させて立設された状態の一対の縦材及び前記一対の縦材の上端で連結する横材からなるコ字状の枠体と、前記枠体の一方側と該枠体の一方側に対向して配されている前記建物本体の外壁との間の隙間を閉塞するための閉塞部材と、を備えていることを特徴とする。
【００１１】
また、本発明の介装構造体においては、前記閉塞部材が前記隙間を閉塞しつつ前記建物本体の外壁と前記枠体の相対変位を吸収するように構成されていることが望ましい。
【００１２】
さらに、本発明の介装構造体においては、前記閉塞部材が前記建物本体の外壁及び／又は前記枠体に固定して片持ち状態で設けられていてもよい。
【００１３】
また、本発明の介装構造体においては、前記閉塞部材が、前記枠体に固定して配設される枠体側塞ぎ材と、前記建物本体の外壁に固定して配設される外壁側塞ぎ材とを備え、前記枠体側塞ぎ材と前記外壁側塞ぎ材を互いに相対変位可能に接続して構成されていることがより望ましい。
【００１４】
本発明の建物外部構築物は、少なくとも屋根部及び該屋根部を支持する支柱を備えてなる外部構築物本体と建物本体の外壁との間に介設される上記のいずれかの介装構造体とを備えていることを特徴とする。
【００１５】
本発明の建物外部構築物の施工方法は、下端部を支持させて立設される一対の縦材及び前記一対の縦材を連結する横材からなる枠体を建物本体の外壁との間に所定の隙間をあけて設置する枠体設置工程と、前記枠体設置工程後に、少なくとも屋根部及び該屋根部を支持する支柱を備えてなる外部構築物本体を、前記屋根部の先端部を前記枠体に接続するようにして構築する外部構築物本体設置工程と、前記枠体と前記建物本体の外壁の間の隙間を閉塞するための閉塞部材を設置する閉塞部材設置工程とを備えることを特徴とする。
【発明の効果】
【００１６】
本発明の介装構造体及び建物外部構築物、並びに建物外部構築物の施工方法においては、建物本体の外壁との間に隙間をあけて、一対の縦材と横材からなる枠体を設け、外部構築物本体の屋根部の先端部を枠体に接続してサンルームなどの建物外部構築物を構築することができる。そして、住宅などの建物本体の外壁に凹凸がある場合であっても、予め枠体を外壁と隙間をあけて設置することで、この凹凸に関係なく、枠体に接続して外部構築物本体を構築することができる。
【００１７】
また、例えば屋根部に雪が積もり、雪荷重が作用した場合や風圧が作用した場合であっても、屋根部の先端部（垂木掛け、先端桁）が枠体に接続して支持され、その剛性が高められているため、従来と比較し、屋根部の先端部にたわみが生じることを抑止できる。
【００１８】
よって、本発明の介装構造体及び建物外部構築物、並びに建物外部構築物の施工方法によれば、建物本体の外壁の凹凸に柔軟に対応でき、見栄えの悪化や建物本体の外壁との間に隙間が発生することを確実に防止できる。
【図面の簡単な説明】
【００１９】
【図１】本発明の一実施形態に係る建物外部構築物を示す斜視図である。
【図２】本発明の一実施形態に係る介装構造体の枠体を示す正面図である。
【図３】本発明の一実施形態に係る介装構造体の第一閉塞部材を示す図である。
【図４】本発明の一実施形態に係る介装構造体の第二閉塞部材を示す図である。
【図５】従来の建物外部構築物を示す図である。
【発明を実施するための形態】
【００２０】
以下、図１から図４を参照し、本発明の一実施形態に係る介装構造体及び建物外部構築物、並びに建物外部構築物の施工方法について説明する。ここで、本実施形態では、本発明に係る建物外部構築物が、住宅や店舗などの建物本体に繋げて構築されるガーデンルームタイプの建物外部構築物であるものとして説明を行う。
【００２１】
本実施形態の建物外部構築物Ｂは、サンルーム（ガーデンルーム）であり、例えば図１に示すように、前面壁部１と、一対の側面壁部３と、屋根部２とからなり、室空間（内部空間）を形成する外部構築物本体Ｂ１を備えるとともに、外部構築物本体Ｂ１の側面壁部３の側端（他側端３ｂ）や屋根部２の建物本体Ｔ側の先端部（他端２ｂ）と建物本体Ｔの外壁Ｔ１との間に介設される介装構造体Ｂ２を備えて構成されている。
【００２２】
外部構築物本体Ｂ１の前面壁部１は、例えば建物本体Ｔのサッシ窓等が形成された外壁Ｔ１から所定の間隔で離間し、且つ外壁Ｔ１に沿って略平行に、すなわち外壁Ｔ１に対向して配設されている。また、本実施形態では、この前面壁部１が、腰壁部（腰壁）４と、腰壁部４よりも上方の採光壁部１１とを備えて構成されている。
【００２３】
具体的に、本実施形態において、前面壁部１は、土間コンクリートやデッキ、独立基礎等の基礎７上に載置したり、束材等を用い基礎７の上面との間に間隔をあけて固設されるとともに、建物本体Ｔの外壁Ｔ１に沿う横方向Ｓ１に延設された基台１５上に、腰壁部４が構築されている。そして、この腰壁部４に下端部５ａ側を支持させつつ腰壁部４の笠木（笠木構造）１６から上方に支柱５が延設され、且つ横方向Ｓ１に所定の間隔をあけて複数の支柱５が並設されている。この支柱５は、アルミ押出し形材で形成されている。
【００２４】
また、前面壁部１の採光壁部１１は、笠木１６から上方に延設された複数の支柱５と、複数の支柱５の上端部に接続して架設された桁１０と、笠木構造１６の笠木取付用基台に下端部側を支持させ、隣り合う支柱５にそれぞれ側端部を支持させ、桁１０に上端部を支持させて、各隣り合う支柱５間に設置されたガラス板などの前面パネル（壁面部材）６とを備えて構成されている。
【００２５】
外部構築物本体Ｂ１の屋根部２は、一端２ａを桁１０に接続して斜めに配設され、横方向Ｓ１に所定の間隔をあけて配設された複数の垂木９と、複数の垂木９の他端（先端）を接続する垂木掛け（先端桁（屋根部２の先端部２ｂ））１７と、隣り合う垂木９に固定して支持され、屋根面を形成するポリカーボネートやアクリル等の樹脂板やガラス板等の屋根材１８とを備えて構成されている。また、本実施形態では、隣り合う垂木９を横方向Ｓ１に延設された中骨材（連結材）１９によって連結して屋根部２が構成されている。
なお、屋根部２を構成する垂木掛け１７、垂木９、中骨材１９もそれぞれ、アルミ押出し形材を用いて形成されている。
【００２６】
外部構築物本体Ｂ１の一対の側面壁部３はそれぞれ、例えば、前面壁部１と同様に腰壁部４と採光壁部１１を備えて形成したり、窓を備えて形成したり、折り戸２０や扉を設置して出入り可能に形成したり、腰壁部４をなくし、採光壁部１１のみで形成するなどの構成を適宜選択して構築されている。
【００２７】
なお、本実施形態では、前面壁部１の妻支柱５の上端部側に一端を接続し、建物本体Ｔの外壁Ｔ１側の側面壁部３の妻支柱５に他端を接続し、アルミ押出し形材の妻梁２１が奥行き方向に沿って水平に設置されている。さらに、この妻梁２１と妻垂木９と妻支柱５で囲まれた略三角形状の枠部内にポリカーボネート等（ＦＩＸ窓２２）を設置したり、室内側に倒れる内倒し窓を設置して側面壁部３が形成されている。
【００２８】
一方、本実施形態の介装構造体Ｂ２は、図１、図２及び図３に示すように、一対の縦材２５と、一対の縦材２５の上端部同士を連結する横材２６とからなる枠体２７を備えている。また、枠体２７は、建物本体Ｔの外壁Ｔ１に沿って対向配置されるとともに、建物本体Ｔの外壁Ｔ１との間に所定の間隔（隙間Ｈ）をあけて立設されている。
【００２９】
ここで、枠体２７は、地盤を掘削し、割栗石２８を敷設するとともにコンクリート２９を打設し、この例えば３００ｍｍ角のコンクリート２９に縦材２５の下端部を埋設させて構築される。このとき、縦材２５はその下端部をコンクリート２９の下端まで埋設させることが好ましい。これにより、略コ字状の枠体２７をしっかりと固定支持させて立設させることが可能になる。
【００３０】
なお、土間コンクリート等の基礎７上に各縦材２５の下端部を接続する場合には、土間コンクリートをはつり、上記と同様に割栗石２８を敷設するとともにコンクリート２９を打設し、このコンクリート２９に下端部を埋設させて、縦材２５を立設させることが好ましい。これにより、土間コンクリート等の基礎７上に各縦材２５の下端部を接続する場合においても、枠体２７をしっかりと固定支持させて立設させることが可能になる。
【００３１】
さらに、図１、図３、図４に示すように、介装構造体Ｂ２は、枠体２７と建物本体Ｔの外壁Ｔ１の間の両側部側の隙間Ｈを閉塞させるための第一閉塞部材（閉塞部材）３０と、枠体２７と建物本体Ｔの外壁Ｔ１の間の上部側の隙間Ｈを閉塞させるための第二閉塞部材（閉塞部材）３１とを備えている。
【００３２】
図１及び図３に示すように、第一閉塞部材３０は、帯状に形成され、一側端部３０ａ側をビス止めするなどして枠体２７の縦材２５の側面に固着させ、他側端部３０ｂ側を建物本体Ｔの外壁Ｔ１に当接させて配設されている。これにより、枠体２７と建物本体Ｔの外壁Ｔ１との間の上下方向Ｓ２に延びる隙間Ｈが帯状の第一閉塞部材３０によって閉塞されている。
【００３３】
また、本実施形態では、この第一閉塞部材３０が、方形平板状に形成され、一側端部３０ａ側を縦材２５の側面に面接触させて固着し、外壁Ｔ１側にまっすぐに延びて隙間Ｈを閉塞する第１塞ぎ材３２と、一側端部３０ａ側を縦材２５の側面に間隔をあけて固着するとともに、外壁Ｔ１側にまっすぐに延び、且つその先端側が第１塞ぎ材３２の先端側を押さえるように折れ曲がって隙間Ｈを閉塞する第２塞ぎ材３３とで構成されている。
【００３４】
なお、第一閉塞部材３０は、枠体２７と建物本体Ｔの外壁Ｔ１との間の上下方向Ｓ２に延びる隙間Ｈを閉塞させることが可能であれば特にその構成を限定する必要はなく、例えば他側端部３０ｂ側を建物本体Ｔの外壁Ｔ１に固着させて配設されていてもよい。また、第一閉塞部材３０にはゴムなどの弾性体や金属板などを適用すればよい。
【００３５】
図１及び図４に示すように、第二閉塞部材３１は、略帯状に形成され、一側端部３５ａ側をビス止めするなどして枠体２７の横材２６の上面に固着させて配設された枠体側塞ぎ材３５と、略帯状に形成され、一側端部３６ａ側をビス止めするなどして建物本体Ｔの外壁Ｔ１に固着させて配設された外壁側塞ぎ材３６とで構成されている。
【００３６】
また、本実施形態の第二閉塞部材３１は、枠体側塞ぎ材３５と外壁側塞ぎ材３６の互いの他側端部３５ｂ、３６ｂ側同士が接触しつつ重なるように配設されている。さらに、本実施形態において、枠体側塞ぎ材３５は、一側端部３５ａ側に対し、他側端部３５ｂ側が上方に折れ曲がって形成されている。外壁側塞ぎ材３６は、一側端部３６ａ側に対し、他側端部３６ｂ側が下方に傾斜するように折れ曲がって形成されている。そして、枠体側塞ぎ材３５の他側端部３５ｂ側の上面側に外壁側塞ぎ材３６の他側端部３６ｂ側が重なるようにして配設されている。
【００３７】
さらに、本実施形態の第二閉塞部材３１は、枠体側塞ぎ材３５と外壁側塞ぎ材３６がそれぞれ、他側端部３５ｂ、３６ｂ側に係合爪３７、３８を備えており、これら互いの係合爪３７、３８によって他側端部３５ｂ、３６ｂ同士が相対変位可能に係合して繋がっている。また、外壁側塞ぎ材３６はその折曲部がヒンジ部（ヒンジ構造）３９として形成されており、このヒンジ部３９で折れ曲がることによって変位を吸収できるように形成されている。
【００３８】
なお、第二閉塞部材３１は、枠体２７と建物本体Ｔの外壁Ｔ１との間の横方向Ｓ１に延びる隙間Ｈを閉塞させることが可能であれば、必ずしも上記のように構成しなくてもよい。また、第二閉塞部材３１にはゴムなどの弾性体や金属板などを適用すればよい。
【００３９】
さらに、本実施形態では、図３及び図４に示すように、建物外部構造物Ｂの外観をよくするため、第一閉塞部材３０や第二閉塞部材３１がそれぞれ被覆部材４０で被覆されている。
【００４０】
そして、上記構成からなる本実施形態の建物外部構築物Ｂ（建物外部構築物Ｂの施工方法）においては、建物本体Ｔの外壁Ｔ１との間に隙間Ｈをあけて、一対の縦材２５と横材２６からなるコ字状の枠体２７を設け（枠体設置工程）、この枠体２７の一対の縦材２５に外部構築物本体Ｂ１の側面壁部３の側端を、横材２６に屋根部２の先端部（垂木掛け１７）をそれぞれ接続してサンルームなどの建物外部構築物Ｂ／外部構築部本体Ｂ１を構築する（外部構築物本体設置工程）。
【００４１】
これにより、住宅などの建物本体Ｔの外壁Ｔ１に凹凸がある場合であっても、予め枠体２７を外壁Ｔ１と隙間Ｈをあけて設置することで、この凹凸に関係なく、枠体２７に接続して前面壁部１と屋根部２と側面壁部３とを備えてなる外部構築物本体Ｂ１を構築することができる。
【００４２】
また、枠体２７と建物本体Ｔの外壁Ｔ１の間の側部の隙間Ｈを第一閉塞部材３０で閉塞し、枠体２７と建物本体Ｔの外壁Ｔ１の間の上部の隙間Ｈを第二閉塞部材３１で閉塞する（閉塞部材設置工程）。これにより、外部構築物本体Ｂ１の内部（室内）に雨水や外気が入り込むことを防止できる。
【００４３】
さらに、例えば屋根部２に雪が積もり、雪荷重が作用した場合や、屋根部２に風圧が作用した場合であっても、屋根部２の先端部（垂木掛け１７）がコ字状の枠体２７に接続して支持され、その剛性が高められているため、従来と比較し、屋根部２の先端部にたわみが生じることを抑止できる。
【００４４】
また、第一閉塞部材３０や第二閉塞部材３１が屋根部２の先端部ではなく、外部構築物本体Ｂ１と建物本体Ｔの外壁Ｔ１の間に介装され、積雪荷重や風圧が作用しても変位しにくい枠体２７に接続されているため、積雪荷重や風圧が作用しても、枠体２７と建物本体Ｔの外壁Ｔ１との間に設けた隙間Ｈを確実に第一閉塞部材３０と第二閉塞部材３１で閉塞するとともに、この状態を保持することが可能になる。
【００４５】
よって、本実施形態の介装構造体Ｂ２及び建物外部構築物Ｂ、並びに建物外部構築物Ｂの施工方法によれば、建物本体Ｔの外壁Ｔ１の凹凸に柔軟に対応でき、見栄えの悪化や建物本体Ｔの外壁Ｔ１との間に隙間が発生することを確実に防止できる。
【００４６】
また、枠体２７と建物本体Ｔの外壁Ｔ１の上部の隙間Ｈを閉塞する第二閉塞部材３１が、枠体側塞ぎ材３５と外壁側塞ぎ材３６の２つの部材で構成されるとともに、枠体側塞ぎ材３５の他側端部３５ｂ側を外壁側塞ぎ材３６の他側端部３６ｂ側の上面側に重ねて配設されていることで、枠体２７と建物本体Ｔとの間に相対変位が生じた際にこの変位を吸収でき、隙間が生じることをより確実に防止することができる。
【００４７】
さらに、第二閉塞部材３１が、枠体側塞ぎ材３５と外壁側塞ぎ材３６の２つの部材で構成されるとともに、枠体側塞ぎ材３５の他側端部３５ｂ側が上方に折れ曲がり、外壁側塞ぎ材３６の他側端部３６ｂ側が下方に折れ曲がり、互いの他側端部３５ｂ、３６ｂ側同士が重なりつつ、係合して接続されていることにより、枠体２７と建物本体Ｔとの間に相対変位が生じた際にこの変位を吸収でき、隙間が生じることをさらに確実に防止することができる。例えば図４に示すように、１０ｍｍ程度の変位Ｍが生じてもこれを吸収することが可能である。
【００４８】
また、外壁側塞ぎ材３６の折曲部がヒンジ部３９として形成されていることにより、枠体２７と建物本体Ｔとの間に相対変位が生じた際にこの折曲部のヒンジ部３９で折れ曲がり、確実に変位を吸収することができる。よって、隙間が生じて雨水や雪融け水、外気などが室内に入り込むことをさらに確実に防止することが可能になる。
【００４９】
以上、本発明に係る介装構造体及び建物外部構築物、並びに建物外部構築物の施工方法の一実施形態について説明したが、本発明は上記の一実施形態に限定されるものではなく、その趣旨を逸脱しない範囲で適宜変更可能である。
【００５０】
例えば、本実施形態では、建物外部構築物Ｂがガーデンルームタイプの建物外部構築物であるものとして説明を行ったが、本発明に係る建物外部構築物はサイドスルータイプや前面が柱のみのオープンなサイドスルータイプの建物外部構築物であってもよい。また、外部構築物本体Ｂ１の前面壁部１が腰壁部４と採光壁部１１とで構成されているのもとしたが、腰壁を備えている必要はなく、サイドスルータイプであれば支柱５のみで前面壁部１が構成されていても構わない。すなわち、本発明に係る外部構築物本体は、少なくとも前面壁部１を構成する支柱５と屋根部２を備えていればよく、特にその他の構成を限定する必要はない。そして、このような場合であっても、勿論、本実施形態と同様の作用効果を得ることが可能である。
【００５１】
また、本実施形態では、第二閉塞部材３１の外壁側塞ぎ材３６の折曲部がヒンジ部３９として形成されているものとしたが、枠体側塞ぎ材３５の折曲部をヒンジ部としても、枠体側塞ぎ材３５と外壁側塞ぎ材３６の両折曲部をヒンジ部としてもよい。
【符号の説明】
【００５２】
１      前面壁部
２      屋根部
２ａ    一端
２ｂ    他端（先端部）
３      側面壁部
３ａ    一側端
３ｂ    他側端
４      腰壁（腰壁部）
５      支柱
５ａ    下端部
６      前面パネル（壁面部材）
７      基礎
８      垂木掛け
９      垂木
１０    桁
１１    採光壁部
１５    基台
１６    笠木（笠木構造）
１７    垂木掛け
１８    屋根材
１９    中骨材
２０    折り戸
２１    妻梁
２２    ＦＩＸ窓
２５    縦材
２６    横材
２７    枠体
２８    割栗石
２９    コンクリート
３０    第一閉塞部材（閉塞部材）
３０ａ  一側端部
３０ｂ  他側端部
３１    第二閉塞部材（閉塞部材）
３１ａ  一側端部
３１ｂ  他側端部
３２    第１塞ぎ材
３３    第２塞ぎ材
３５    枠体側塞ぎ材
３５ａ  一側端部
３５ｂ  他側端部
３６    外壁側塞ぎ材
３６ａ  一側端部
３６ｂ  他側端部
３７    係合爪
３８    係合爪
３９    ヒンジ部
４０    被覆部材
Ａ      従来の建物外部構築物
Ｂ      建物外部構築物
Ｂ１    外部構築物本体
Ｂ２    介装構造体
Ｈ      隙間
Ｓ１    横方向
Ｓ２    上下方向
Ｔ      建物本体
Ｔ１    外壁
【図１】
0005870383.tif 000002
【図２】
0005870383.tif 000003
【図３】
0005870383.tif 000004
【図４】
0005870383.tif 000005
【図５】
0005870383.tif 000006